(57)【要約】【目的】フレキシブル配線に略Ｕ字状曲げを生じさせて配置させる収容構造において、当該収容構造の部分を大きくすることなく前記略Ｕ字状曲げ部分の曲率を大きくさせる。【構成】円筒部１２を有する第一部材１と前記円筒部１２内に挿入される挿入部２２を有する第二部材２とが前記円筒部１２に前記挿入部２２を挿入させた状態で相対回転自在に設けられ、前記挿入部２２の外面と前記円筒部１２の内面との間の空間にフレキシブル配線３の一部が略Ｕ字状に曲げられて収容され、前記相対回転に応じて前記略Ｕ字状の曲げ部３ｃに位置変位が生じる収容構造であって、前記略Ｕ字状の曲げ部３ｃの位置変位エリアに対応する前記挿入部２２の箇所に平面形状部２２ａを有する。【選択図】                図１
2004294622.tif 000002
【特許請求の範囲】
【請求項１】
筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記略Ｕ字状の曲げ部分の位置変位エリアに対応する前記挿入部の箇所は平面形状に形成されていることを特徴とするフレキシブル配線の収容構造。
【請求項２】
筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記略Ｕ字状の曲げ部分の位置変位エリアに対応する前記挿入部の箇所は当該挿入部の全体的な曲率よりも大きな曲率で形成されていることを特徴とするフレキシブル配線の収容構造。
【請求項３】
筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記略Ｕ字状の曲げ部分の位置変位エリアに対応する前記挿入部の箇所は凹形状に形成されていることを特徴とするフレキシブル配線の収容構造。
【請求項４】
請求項１乃至請求項３のいずれかに記載のフレキシブル配線の収容構造において、前記挿入部は筒形状を成すことを特徴とするフレキシブル配線の収容構造。
【請求項５】
筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記挿入部は筒形状とされ、前記略Ｕ字状の曲げ部分の位置変位エリアに対応する前記挿入部の箇所が切欠かれていることを特徴とするフレキシブル配線の収容構造。
【請求項６】
カメラ本体部に対して撮像映像表示部が回転機構部を介して回転可能に設けられて成り、前記回転機構部に請求項１乃至請求項５のいずれかに記載のフレキシブル配線の収容構造が設けられたことを特徴とするカメラ。
【発明の詳細な説明】
【０００１】
【産業上の利用分野】
この発明は、フレキシブル配線の収容構造及びこれを用いたカメラに関する。
【０００２】
【従来の技術】
図８に従来のフレキシブル配線の収容構造を示す。なお、このフレキシブル配線の収容構造における全体的な構成は本願の実施例にて示すフレキシブル配線の収容構造と同じとしているので、この項では全体的な構成についての説明は省略することとする。図８において、大径円筒部５１内に小径円筒部５２が位置しており、これら両円筒部５１，５２において相対回転が可能とされる。大径円筒部５１の内面と小径円筒部５２の外面との間の空間にフレキシブル配線５３の一部が略Ｕ字状に曲げられて収容される。前記略Ｕ字状の曲げ部分は、前記相対回転に応じて位置変位を生じさせる（図の太点線参照）。
【０００３】
なお、回転機構部にフレキシブル配線を収容する構造を持つビデオカメラ装置が知られている（特許文献１参照）。
【０００４】
【特許文献１】
特開２００２−３４４７８４号公報
【０００５】
【発明が解決しようとする課題】
しかしながら、上記の図８に示したフレキシブル配線の収容構造では、大径円筒部５１の内面と小径円筒部５２の外面との間の空間が狭いと、フレキシブル配線５３における前記略Ｕ字状曲げ部分の曲率が小さくなり、当該略Ｕ字状曲げ部分の位置変位に際して当該部分に折れが生じて断線するおそれがある。一方、大径円筒部５１を大きくして前記空間を広くしようとすると、当該収容構造部分が大きくなってしまう。
【０００６】
この発明は、上記の事情に鑑み、フレキシブル配線に略Ｕ字状曲げを生じさせて配置させる収容構造において、当該収容構造の部分を大きくすることなく前記略Ｕ字状曲げ部分の曲率を大きくさせることができるフレキシブル配線の収容構造及びこれを用いたディジタルカメラを提供することを目的とする。
【０００７】
【課題を解決するための手段】
この発明のフレキシブル配線の収容構造は、上記の課題を解決するために、筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記略Ｕ字状の曲げ部分の位置変位エリアに対応する前記挿入部の箇所は平面形状に形成されていることを特徴とする。
【０００８】
上記の構成であれば、前記挿入部が平面形状を有したことで、前記筒部の径を大きくすることなく、前記略Ｕ字状の曲げ部分の位置変位エリアに対応する空間を広げることができ、前記略Ｕ字状曲げ部分の曲率を大きくさせてその断線を防止することができる。
【０００９】
また、この発明のフレキシブル配線の収容構造は、筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記略Ｕ字状の曲げ部分の位置変位エリアに対応する前記挿入部の箇所は、当該挿入部の全体的な曲率よりも大きな曲率で形成されていることを特徴とする。
【００１０】
上記の構成であれば、前記挿入部が大曲率部を有したことで、前記筒部の径を大きくすることなく、前記略Ｕ字状の曲げ部分の位置変位エリアに対応する空間を広げることができ、前記略Ｕ字状曲げ部分の曲率を大きくさせてその断線を防止することができる。
【００１１】
また、この発明のフレキシブル配線の収容構造は、筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記略Ｕ字状の曲げ部分の位置変位エリアに対応する前記挿入部の箇所は凹形状に形成されていることを特徴とする。
【００１２】
上記の構成であれば、前記挿入部が凹形状を有したことで、前記筒部の径を大きくすることなく、前記略Ｕ字状の曲げ部分の位置変位エリアに対応する空間を広げることができ、前記略Ｕ字状曲げ部分の曲率を大きくさせてその断線を防止することができる。
【００１３】
これらのフレキシブル配線の収容構造において、前記挿入部は筒形状を成すのがよい。当該挿入部が非中空であると、樹脂成型において当該挿入部の樹脂注入量が増えることによる不具合（ヒケやボイドなどの発生）が生じやすいが、筒形状とすることにより、かかる不具合を防止することができる。
【００１４】
また、この発明のフレキシブル配線の収容構造は、筒部を有する第一部材と前記筒部内に挿入される挿入部を有する第二部材とが前記筒部に前記挿入部を挿入させた状態で相対回転自在に設けられ、前記挿入部の外面と前記筒部の内面との間の空間にフレキシブル配線の一部が略Ｕ字状に曲げられて収容され、前記相対回転に応じて前記略Ｕ字状の曲げ部分に位置変位が生じる収容構造であって、前記挿入部は筒形状とされ、前記略Ｕ字状の曲げ部分の位置変位エリアに対応する前記挿入部の箇所が切欠かれていることを特徴とする。
【００１５】
上記の構成であれば、前記挿入部の箇所が切欠かれていることで、前記筒部の径を大きくすることなく、前記略Ｕ字状の曲げ部分の位置変位エリアに対応する空間を広げることができ、前記略Ｕ字状曲げ部分の曲率を大きくさせてその断線を防止することができる。
【００１６】
また、この発明のディジタルカメラは、ディジタルカメラ本体部に対して撮像映像表示部が回転機構部を介して回転可能に設けられて成り、前記回転機構部に請求項１乃至請求項５のいずれかに記載のフレキシブル配線の収容構造が設けられたことを特徴とする。
【００１７】
【発明の実施の形態】
以下、この発明の実施形態におけるフレキシブル配線の収容構造を図１乃至図６に基づいて説明する。
【００１８】
図１は、この実施形態のフレキシブル配線の収容構造１００を有した回転機構部の分解斜視図である。第一の部材１は略長方形を成す板形状部１１と当該板形状部１１の略中央部に位置する円筒部１２とが一体成型されて成るものである。円筒部１２はその中心軸が板形状部１１の面に対して直交するように形成されており、また、板形状部１１には前記円筒部１２内に連通する開口部が形成されている。開口部には、後述する円筒部２２を回転可能に支持する円弧部１１ａ（三カ所）が形成されていると共に、フレキシブル配線３における箇所３ａを係止する係止部１１ｂが形成されている。
【００１９】
第二の部材２は略長方形を成す板形状部２１と当該板形状部２１の略中央部に位置するＤ形状の円筒形の挿入部２２とが一体成型されて成るものである。挿入部２２はその中心軸が板形状部２１の面に対して直交するように形成されている。また、第二の部材２の板形状部２１には、フレキシブル配線３における箇所３ｂを係止する係止部２１ａ及び前記箇所３ｂを前記係止部２１ａに入れ込むための切欠き２１ｂが形成されている。
【００２０】
前記第一の部材１は、スイバル部４における一方側構成部材４１にねじ留めされ、前記第二の部材２は、スイバル部４における他方側構成部材４２にねじ留めされる。スイバル部４は、円形貫通部４ａを有しており、この円形貫通部４ａを中心にして略９０°の範囲で回動自在となるように構成されたものである。前記のねじ留め状態で、円筒部１２はスイバル部４の円形貫通部４ａ内に位置する。また、挿入部２２は前記円筒部１２内に挿入され、先端部が前記開口部における円弧部１１ａに支持されることになる。そして、フレキシブル配線３における略Ｕ字状曲げ部３ｃは、図２に示すように（図２では、スイバル部４の図示を省略している）、前記挿入部２２の外面と前記円筒部１２の内面との間の空間に収容され、前記スイバル部４の回動時に、第一部材１と第二部材２との間で相対回転が生じて前記略Ｕ字状曲げ部３ｃに位置変位が生じる。
【００２１】
図３は、前記略Ｕ字状曲げ部３ｃの収容の様子を示した平面図である。前記略Ｕ字状曲げ部３ｃの位置変位エリアに対応する前記挿入部２２の箇所には平面形状部２２ａが形成されている。この平面形状部２２ａにより、前記略Ｕ字状曲げ部３ｃの位置変位エリアに対応する空間を広げることができる。従って、前記円筒部１２の径を大きくすることなく、前記略Ｕ字状曲げ部３ｃの曲率を大きくさせることができ、その断線を防止することができる。
【００２２】
図４は、挿入部２２１を有する構成において前記略Ｕ字状曲げ部３ｃの収容の様子を示した平面図である。前記略Ｕ字状曲げ部３ｃの位置変位エリアに対応する前記挿入部２２１の箇所には曲面形状部２２１ａが形成されている。この曲面形状部２２１ａは、挿入部２２１の全体的な曲率よりも大きな曲率で形成されているものである。前記曲面形状部２２１ａにより、前記略Ｕ字状曲げ部３ｃの位置変位エリアに対応する空間を広げることができる。従って、前記円筒部１２の径を大きくすることなく、前記略Ｕ字状曲げ部３ｃの曲率を大きくさせることができ、その断線を防止することができる。
【００２３】
図５は、挿入部２２２を有する構成において前記略Ｕ字状曲げ部３ｃの収容の様子を示した平面図である。前記略Ｕ字状曲げ部３ｃの位置変位エリアに対応する前記挿入部２２２の箇所には凹曲面形状部２２２ａが形成されている。前記凹曲面形状部２２１ａにより、前記略Ｕ字状曲げ部３ｃの位置変位エリアに対応する空間を広げることができる。従って、前記円筒部１２の径を大きくすることなく、前記略Ｕ字状曲げ部３ｃの曲率を大きくさせることができ、その断線を防止することができる。
【００２４】
図６は、挿入部２２３を有する構成において前記略Ｕ字状曲げ部３ｃの収容の様子を示した平面図である。前記略Ｕ字状曲げ部３ｃの位置変位エリアに対応する前記挿入部２２３の箇所には切欠き部２２３ａが形成されている。前記切欠き部２２３ａにより、前記略Ｕ字状曲げ部３ｃの位置変位エリアに対応する空間を広げることができる。従って、前記円筒部１２の径を大きくすることなく、前記略Ｕ字状曲げ部３ｃの曲率を大きくさせることができ、その断線を防止することができる。
【００２５】
なお、図３乃至図５に示した挿入部２２，２２１，２２２においては、筒形状のものも示したが、非中空構造としてもよいものである。ただし、当該挿入部が非中空であると、樹脂成型において当該挿入部の樹脂注入量が増えることによる不具合（ヒケやボイドなどの発生）が生じるので、筒形状とするのがよい。
【００２６】
図７にディジタルカメラ４０の外観を示す。このディジタルカメラは、ディジタルカメラ本体部４１に対して撮像映像表示部４２が回転機構部４３を介して回転可能に設けられて成り、前記回転機構部４３に上述したフレキシブル配線の収容構造１００が設けられている。
【００２７】
【発明の効果】
以上説明したように、この発明によれば、フレキシブル配線における略Ｕ字状曲げ部の曲率を大きくさせることができ、その断線を防止することができるという効果を奏する。
【図面の簡単な説明】
【図１】この発明のフレキシブル配線の収容構造を示した分解斜視図である。
【図２】第一部材と第二部材を示すと共に、円筒部と挿入部との間の空間内に略Ｕ字状曲げ部が位置する様子を示した斜視図である。
【図３】略Ｕ字状曲げ部の収容の様子を示した平面図である。
【図４】略Ｕ字状曲げ部の収容の様子を示した平面図である。
【図５】略Ｕ字状曲げ部の収容の様子を示した平面図である。
【図６】略Ｕ字状曲げ部の収容の様子を示した平面図である。
【図７】この発明の実施形態のディジタルカメラを示した正面図である。
【図８】従来構造における略Ｕ字状曲げ部の収容の様子を示した平面図である。
【符号の説明】
１      第一部材
１２    円筒部
２      第二部材
２２    挿入部
２２ａ  平面形状部
２２１  挿入部
２２１ａ曲面形状部
２２２  挿入部
２２２ａ凹曲面形状部
２２３  挿入部
２２３ａ切欠き部
３      フレキシブル配線
３ｃ    略Ｕ字状曲げ部
４      スイバル部
【図１】
2004294622.tif 000003
【図２】
2004294622.tif 000004
【図３】
2004294622.tif 000005
【図４】
2004294622.tif 000006
【図５】
2004294622.tif 000007
【図６】
2004294622.tif 000008
【図７】
2004294622.tif 000009
【図８】
2004294622.tif 000010